【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
血管内の流れを制限することなく血管内で血圧と血流を測定する測定装置であって、
近位端と、遠位端と、０．４６ｃｍ以下の外形とを備える可撓性の細長部材と、
前記細長部材の遠位領域に固定される圧力センサと、
前記細長部材の上記遠位領域に固定される流れセンサとを備え、
上記圧力センタと上記流れセンサの分離が３ｃｍより短い、測定装置。
【請求項２】
請求項１に記載された測定装置であって、さらに、
外壁と、遠位端と、近位端と、前記遠位端と近位端の間に存在するルーメンとを含むセンサハウジングを備え、前記センサハウジングは前記細長部材の前記遠位領域に固定される、測定装置。
【請求項３】
請求項２に記載された測定装置であって、さらに、
前記センサハウジングに固定され、前記センサハウジングから近位に配置されるコイルを備える、測定装置。
【請求項４】
請求項２に記載された測定装置であって、
前記センサハウジングは、さらに、切り抜き部を備え、前記圧力センサは、前記圧力センサの外表面が前記外壁と実質的に面一であるように、前記切り抜き部に取り付けられる、測定装置。
【請求項５】
請求項４に記載された測定装置であって、前記圧力センサは、前記組み合わせセンサハウジングの中で片持ち位置に取り付けられている、測定装置。
【請求項６】
請求項１に記載された測定装置であって、
前記圧力センサは、さらに、ダイヤフラムを含む、測定装置。
【請求項７】
請求項１に記載された測定装置であって、前記圧力センサは、さらに、半導体結晶を含む、測定装置。
【請求項８】
請求項１に記載された測定装置であって、前記流れセンサは、前記圧力センサと実質的に同じ位置で流れ速度を測定する、測定装置。
【請求項９】
請求項１に記載された測定装置であって、前記流れセンサは、前記組み合わせセンサハウジングの遠位の端に配置されることを特徴とする測定装置。
【請求項１０】
請求項３に記載された測定装置であって、
前記コイルは、さらに、前記センサハウジングの近位端に結合される放射線不透過性のコイルと、この放射線不透過性のコイルに結合される近位コイルとを備える、測定装置。
【請求項１１】
請求項１に記載された測定装置であって、さらに、
前記圧力センサから実質的に前記細長部材の近位端までの複数の電気導体と、
前記流れセンサから実質的に前記細長部材の近位端までの複数の電気導体と
を備える、測定装置。
【請求項１２】
請求項１１に記載された測定装置であって、
前記細長部材は、細長い管状部材を備え、この管状部材は、さらに、前記管状部材の内面の上に配置され前記管状部材の全長にわたって存在する縦長の凹部を備え、
前記流れセンサおよび前記圧力センサからの前記複数の電気導体の中の少なくとも１つの電気導体が前記縦長の凹部の中に位置されることを特徴とする、測定装置。
【請求項１３】
請求項１２に記載された測定装置であって、
前記管状部材は、さらに、前記管状部材の内面の上に配置され前記管状部材の全長にわたって存在する複数の縦長の凹部を備え、前記流れセンサおよび前記圧力センサからの前記複数の電気導体が別々の縦長の凹部の中にそれぞれ位置されることを特徴とする測定装置。
【請求項１４】
請求項１２に記載された測定装置であって、さらに、前記管状部材のルーメンの中に同軸に位置されるコア・ワイヤを備え、絶縁材料が前記電気導体と前記コア・ワイヤの間に配置されることを特徴とする測定装置。
【請求項１５】
請求項１４に記載された測定装置であって、前記コア・ワイヤの外径が、前記管状部材の内径と実質的に同じ寸法であることを特徴とする測定装置。
【請求項１６】
請求項１１に記載された測定装置であって、前記細長部材は細長い管状部材を備え、前記管状部材は、さらに、複数の同軸ポリイミド層を備え、前記圧力センサおよび前記流れセンサからの前記複数の電気導体が、前記管状部材の複数のポリイミド層の間に埋め込まれることを特徴とする測定装置。
【請求項１７】
請求項１に記載された測定装置であって、前記流れセンサが流速センサである、測定装置。
【請求項１８】
血管の中の流れを制限することなく血管の中の狙いの領域で血圧と血圧以外の血流特性を測定する測定方法であって、
近位端と、遠位端と、０．４６ｃｍ以下の外形とを備える可撓性の細長部材と、前記細長部材の遠位領域に固定される圧力センサと、細長部材の前記遠位領域に固定され血圧と異なる血流特性を測定するためのセンサとを用い、上記圧力センサと、血圧以外の血流特性を測定するための上記センサとの分離を３ｃｍより短くし、
前記細長部材の前記遠位端を狙いの領域に進め、
その狙いの領域で血圧を測定し、それと同時に、前記狙いの領域で血圧以外の血流特性を測定する
測定方法。
【請求項１９】
請求項１８に記載された測定方法であって、さらに、制御コンソールを備え、
前記圧力センサから測定値を得ること、血圧以外の前記血流特性の測定値を得ること、および、前記測定値を解析することは、前記制御コンソールを用いて行う、測定方法。
【請求項２０】
請求項１８に記載された測定方法であって、
前記狙いの領域は血管狭窄部である、測定方法。
【請求項２１】
請求項２０に記載された測定方法であって、さらに、
前記狭窄の遠位側で第１の流速状態で第１の血圧と、第１の血圧と異なる第１血流特性とを測定し、
前記狭窄の遠位側で第２の流速状態で第２の血圧と、第２の血圧と異なる第２血流特性とを測定し、
第１の血圧と第２の血圧の少なくとも１つまたは第１血流特性と第２血流特性の少なくとも１つを比較して前記狭窄の過酷度を決定する
ことを特徴とする方法。
【請求項２２】
請求項１８に記載された測定方法であって、
血圧と異なる血流特性を測定する前記センサは流速センサである、
測定方法。
【請求項２３】
血管の中の流れを制限することなく血管の中の狙いの領域での血圧と血圧以外の血流特性を測定する方法であって、
近位端と、遠位端と、０．４６ｃｍ以下の外形とを備える可撓性の細長部材を用い、前記細長部材の遠位領域に遠位端より３ｃｍ以内に固定されるセンサを用い、
前記細長部材の遠位端を狙いの領域に進め、
その狙いの領域で血圧を測定し、それと同時に、前記狙いの領域で血圧以外の血流特性を測定する
測定方法。
【請求項２４】
請求項２３に記載された測定方法であって、さらに、
さらに、制御コンソールを備え、
前記圧力センサから測定値を得ること、血圧以外の前記血流特性の測定値を得ること、および、前記測定値を解析することは、前記制御コンソールを用いて行う、測定方法。
【請求項２５】
請求項２３に記載された測定方法であって、さらに、
前記狙いの領域は血管狭窄部である、測定方法。
【請求項２６】
請求項２５に記載された測定方法であって、さらに、
前記狭窄の遠位側で第１の流速状態で第１の血圧と、第１の血圧と異なる第１血流特性を測定し、
前記狭窄の遠位側で第２の流速状態で第２の血圧と、第２の血圧と異なる第２血流特性を測定し、
第１の血圧と第２の血圧の少なくとも１つまたは第１血流特性と第２血流特性の少なくとも１つを比較して前記狭窄の過酷度を決定する、
測定方法。
【請求項２７】
請求項２３に記載された測定方法であって、前記細長部材がさらに第２センサを備える、測定方法。
【請求項２８】
請求項２７に記載された測定方法であって、前記第２センサが流速センサである、測定方法。
【請求項２９】
血圧を測定する測定装置であって、
近位端と、遠位端と、０．４６ｃｍ以下の外形とを備える可撓性の細長部材と、
外壁と、遠位端と、近位端と、遠位端と近位端の間のルーメンとを備えるセンサハウジングであって、前記細長部材の遠位領域に固定され、第１の内径を有する第１区分と、第１の内径より大きい第２の内径を有する第２区分とからなる、センサハウジングと、
第１部分と第２部分からなる圧力センサであって、第２部分は圧力検知部分を備え、第１部分は、前記センサハウジングに第１の内径で固定され、第２部分は、第２の内径の中に固定されるが、第２の内径には接触しない、
測定装置。